(57)【特許請求の範囲】
【請求項１】
厚紙によって形成され、被包装物を挿入するための開口部を有する箱状の包装用緩衝材において、
前記開口部と相対する位置に配置される底部を、前記開口部の周囲を形成する側部の前記開口部側と相対する側の端部よりも開口部側に設けた包装用緩衝材であって、
前記包装用緩衝材は、開口部を有する箱状に形成した一枚の厚紙からなる内側厚紙と、筒状に形成した一枚の厚紙からなる外側厚紙とからなり、前記内側厚紙を前記外側厚紙に挿入して形成するものであり、
前記外側厚紙の内周に断面コ字状の段部を形成し、前記外側厚紙に前記内側厚紙を挿入したときに前記内側厚紙に設けられた前記底部が前記段部に当接することにより前記底部を前記端部よりも前記開口部側に設けたことを特徴とする包装用緩衝材。
【請求項２】
被包装物を挿入するための開口部を有する箱状に形成された一枚の厚紙からなる内側厚紙と、
前記内側厚紙の底部に設けられた係止孔と、
前記内側厚紙を挿入可能な筒状に形成された一枚の厚紙からなる外側厚紙と、
前記外側厚紙の内周に設けられ前記外側厚紙に前記内側厚紙を挿入したときに前記底部が当接する当接部と、
前記外側厚紙の被包装物側の端部に設けられた係止部と、
を備え前記内側厚紙を前記外側厚紙に挿入し、前記当接部に前記底部を当接させて前記内側厚紙の挿入位置を位置決めし、前記係止部を前記係止孔に挿入することによって前記内側厚紙を固定することを特徴とする包装用緩衝材。
【発明の詳細な説明】
【０００１】
【発明の属する技術分野】
本発明は、包装用の緩衝材に関するものであり、例えば空気調和機の室内機、トースター等の被梱包物の梱包に使用する包装用緩衝材に関するものである。
【０００２】
【従来の技術】
従来の包装用緩衝材の一例として空気調和機の室内機の包装用緩衝材の例について説明する。従来の技術の例として特開平９−１１８３７０号公報には、被梱包物のコーナー部や両端部に当てがって、包装箱に挿入することにより包装箱内の被梱包物の位置決めを行うとともに外部からの衝撃に対して緩衝効果を果たすものが開示されている。
【０００３】
かかる従来の技術について図１１から図１４を用いて説明する。図１１は従来の緩衝材を使用した包装形態の斜視図であり、図１２は従来の緩衝材の斜視図であり、図１３は従来の緩衝材の内側厚紙を示す展開図であり、図１４は従来の緩衝材の外側厚紙を示す展開図である。
【０００４】
図１１において、１は空気調和機の室内機であり、室内の壁面に取り付けられるものである。この室内機１の両側に当てがわれる緩衝材１８０は、図１３に示す内側厚紙１８１と図１４に示す外側厚紙１８２を組み合わせることによって、被梱包物である室内機１の外径形状に沿った形状１８３に形成される。それによって、位置決めおよび固定が十分に行え、輸送中ならびに荷扱いの際のガタツキおよび衝撃による被梱包物の破損が防止できるというものである。
【０００５】
【発明が解決しようとする課題】
しかし、この種の衝撃材においては、被梱包物の外形形状に沿った形状に緩衝材を形成して緩衝材と被梱包物の間の隙間をなくし、被梱包物の位置決めおよび固定を行っているため、輸送中又は荷扱いの際に上面に荷重がかかると、被梱包物の表面が緩衝材と接触した状態で擦れ合うことがあり、被梱包物の表面に傷が入ることがあった。
【０００６】
また、被梱包物の外径形状に沿った形状に緩衝材を形成するために、緩衝材を形成する部材の切り込み形状及び折り目形状を非常に複雑な形状に構成する必要があり、加工が容易ではなかった。
【０００７】
一方、被梱包物の外径形状に沿った形状に緩衝材を形成せず、箱状態の厚紙を組み合わせたのみの形状であった場合は、上記の問題は解決されるのであるが、従来の例の構成と比較すると強度が不足し、緩衝材として十分な緩衝作用を発揮するためには、厚紙の厚みを厚くして強度を確保する等の別途の手段を講じる必要がある。
【０００８】
そこで、本発明は、上記のような課題を解消するためになされたもので、被梱包物の表面全体が緩衝材と接触した状態になることで擦れ合って傷が入ることがないのみならず、緩衝材の強度を低下させることなく、容易な加工にて緩衝材を形成することが可能な包装用緩衝材を提供するものである。
【００１０】
【課題を解決するための手段】
上記の課題を達成するため、本発明は、厚紙によって形成され、被包装物を挿入するための開口部を有する箱状の包装用緩衝材において、前記開口部と相対する位置に配置される底部を、前記開口部の周囲を形成する側部の前記開口部側と相対する側の端部よりも開口部側に設けた包装用緩衝材であって、前記包装用緩衝材は、開口部を有する箱状に形成した一枚の厚紙からなる内側厚紙と、筒状に形成した一枚の厚紙からなる外側厚紙とからなり、前記内側厚紙を前記外側厚紙に挿入して形成するものであり、前記外側厚紙の内周に断面コ字状の段部を形成し、前記外側厚紙に前記内側厚紙を挿入したときに前記内側厚紙に設けられた前記底部が前記段部に当接することにより前記底部を前記端部よりも前記開口部側に設けた構成としている。
【００１２】
そして、本発明は、被包装物を挿入するための開口部を有する箱状に形成された１枚の厚紙からなる内側厚紙と、前記内側厚紙の底部に設けられた係止孔と、前記内側厚紙を挿入可能な筒状に形成された１枚の厚紙からなる外側厚紙と、前記外側厚紙の内周に設けられ前記外側厚紙に前記内側厚紙を挿入したときに前記底部が当接する当接部と、前記外側厚紙の被包装物側の端部に設けられた係止部と、を備え、前記内側厚紙を前記外側厚紙に挿入し、前記当接部に前記底部を当接させて前記内側厚紙の挿入位置を位置決めし、前記係止部を前記係止孔に挿入することによって前記内側厚紙を固定する構成としている。
【００１５】
【発明の実施の形態】
本発明の第１の実施の形態にかかる包装用緩衝材について、図１から図５とともに説明する。図１は本発明に係る包装用緩衝材を用いて空気調和機の室内機１（以下、室内機１として記載する）を包装する場合の斜視図である。
【００１６】
図１において、被包装物である室内機１は、ルーバーやフロントパネルといった可動部が動かないようにテープ７で固定した後、その外周に室内機１の表面に傷がつくのを防止する為のポリ袋５が被せられる。そして、室内機１の一端が第１の緩衝材３の開口部に挿入され、次に、他端が第２の緩衝材４の開口部に挿入され、室内機１の両端に緩衝材が装着される。その後、附属部品６が室内機１の上面にテープで貼りつけて固定され、この状態で、外箱２に挿入される。このとき、第１の緩衝材及び第２の緩衝材は外箱２に当接され室内機１は外箱２内の所定の位置に固定される。
【００１７】
外箱２の具体例としては、図１（ｂ）に示すように、上面に設けられた開口と、前記開口の周囲に形成されて前記開口を覆うことが可能な封鎖部を有する箱体を用いることができる。また、外箱２のその他の例としては、前記第１の緩衝材及び前記第２の緩衝材の側部の形状を僅かに拡大した形状の空洞を有する筒状に形成したものとすることができる。このときは、室内機１の両端取付けた緩衝材を該空洞に挿入した後、室内機１等が該空洞から容易に抜け出ることを防止するためにテープなどの固定手段によって固定するものである。
【００１８】
第１の緩衝材の構成について説明する。図２（ａ）は、第１の緩衝材を、被包装材である室内機１を配置する側とは相対する側（以下、底側と称する）から見たときの斜視図である。また図２（ｂ）は、第１の緩衝材を、被包装材である室内機１を配置する側（以下、被包装物側と称する）から見たときの斜視図である。
【００１９】
第１の緩衝材は、図３に示すように、開口部を有する箱状に形成した内側厚紙１０と、筒状に形成した外側厚紙１１とを組み合わせて形成されている。
【００２０】
この内側厚紙１０及び外側厚紙１１は、段ボール等の折り曲げ可能な厚紙をトムソン抜きなどの打ち抜き手段によって所定の形状に打ち抜いた後、折り曲げ加工を施すことによって形成する。ここで、トムソン抜きとは段ボール等の厚紙を打ち抜く手段としては公知であるため説明は省略する。
【００２１】
内側厚紙１０の打ち抜き形状について説明する。図４は内側厚紙１０の展開図である。図４において、破線は折り曲げを容易にする加工を施した罫線であり、実線は切断線を示している。
【００２２】
内側厚紙１０の打ち抜き形状は、外周を略長方形状とし、外周の四辺から略同一の距離だけ離間した四辺を有する長方形状に罫線２０、２１、２２、２３を設ける。なお、前記罫線のうち図中の符号２０、２１は長方形の短辺であり、符号２２、２３は長方形の長辺に該当するものである。
【００２３】
そして、前記罫線の短辺２０、２１の延長線上には所定の幅を有した切り込み部１００、１０１、１０２、１０３を設ける。該切り込み部は、短辺２０、２１と長辺２２、２３とが交差する頂点よりも内側厚紙の厚み分だけ短辺の一部を含めるように切りこんでいる。
【００２４】
また、前記長辺２２、２３に平行に、前記切り込みの端部から外周に向けて罫線１６、１７、１８、１９を設ける。それによって、対向する罫線に挟まれている部分である内側厚紙の側部Ｃ、Ｄと（図４では罫線１６と罫線１７に挟まれている部分及び罫線１８と罫線１９に挟まれている部分）、該罫線１６、１７、１８、１９の前記切り込みを有する側の組み立てたときに内側に折りこまれる部分（以下、内側厚紙の折り込み部と称する）とに分けられる。
【００２５】
内側厚紙の折り込み部のうち、被包装物を挿入したときに下部に配置される個所に折りこまれる折り込み部には、被包装物の自重が加わる部分となるため、厚紙を二重に折り込むクッション部Ａ、Ｂが形成される。
【００２６】
クッション部Ａ、Ｂは、内側厚紙の折り込み部の隣り合う２つがクッション部となる。該クッション部Ａは、罫線１６と、罫線１６に対向する内側厚紙の外周と、切り込み部１７０と、該切り込み部１７０と対向する内側厚紙の外周とによって囲まれている。また該クッション部Ａは、罫線１６と、罫線１６に対向する内側厚紙の外周との略中間に、内側厚紙の厚みの２倍程度の幅を有して離間した罫線１２、１３を設けている。さらに、罫線１２と罫線１３を二重に折り曲げるときに折り曲げやすくするために、切り込み部１７４が配置される。クッション部Ｂは、クッション部Ａと同様の形状に形成される。
【００２７】
そして、前記罫線より内側でかつ前記短辺と平行に長方形状の係止孔５５、５６を設ける。該係止孔５５、５６は後述する外側厚紙に設けられる係止部を挿入可能とするため、外側厚紙の厚みよりも僅かに大きな幅を有するものとする。
【００２８】
次に、上記の形状に打ち抜いた内側厚紙を折り込み形成する工程について説明する。まず、クッション部Ａの罫線１２、１３と、クッション部Ｂの罫線１４，１５を山折し、コの字状にする。更に、罫線１６、１７と、罫線１８，１９を谷折して、更に、罫線２０、２１を谷折し内側に曲げる。更に、段ボール紙の罫線２２、２３を谷折すると、内側厚紙１０が完成される。この完成した内側厚紙を開口部側から見た斜視図が図３（ａ）である。完成された内側厚紙１０は、被包装物が挿入される開口部７５と、該開口部７５と相対する側の面である底部７６と、側面を形成する側部１７７a、１７７ｂ、１７７ｃ、１７７ｄと、クッション部Ａ、Ｂとに形成される。
【００２９】
次に、外側厚紙１１の打ち抜き形状について説明する。図５は外側厚紙１１の展開図である。図５において、破線は折り曲げを容易にする加工を施した罫線であり、実線は切断線を示している。
【００３０】
外側厚紙１１の打ち抜き形状は、前記した内側厚紙の側部１７７a、１７７ｂ、１７７ｃ、１７７ｄよりも四辺とも大きい長方形の外側厚紙の側部１７８ａ、１７８ｂ、１７８ｃ、１７８ｄが罫線によって分け隔てられて連接している。また、１７８ａと１７８ｃは同一形状であり、１７８ｂと１７８ｄは同一形状である。更に、側部１７８ｄの側部１７８ｃの配置側の辺と対向する辺には糊しろ２６を設けている。
【００３１】
側部１７８ａの周囲の構成について説明する。
【００３２】
側部１７８ａの、側部１７８ｂが配置側される辺と隣り合う辺には罫線３６、４９が設けられて側部１７８ａは区切られている。罫線３６の側部１７８ａの配置側と相対する側には、第１の折り曲げ片Ｉが備えられる。第１の折り曲げ片Ｉには罫線３９と罫線４０が設けらる。第１の折り曲げ片Ｉは、罫線３９及び罫線４０を略直角に折り曲げることにより、コ字状に形成され、該第１の折り曲げ片Ｉの側部１７８ａの配置側とは相対する側の端辺は、コ字状に折り曲げたときに側部１７８ａに当接されるものである。
【００３３】
また、罫線４９の側部１７８ａの配置側と相対する側には第２の折り曲げ片Ｎが備えられる。第２の折り曲げ片Ｎには、罫線５０が設けられ、罫線５０を略直角に折り曲げたときは、第２の折り曲げ片ＮはＬ字状になる。さらに、第２の折り曲げ片Ｎの側部１７８ａの配置側と相対する側の端部には、内側厚紙と外側厚紙を組み合わせたときに内側厚紙の係止孔に挿入される係止部５３が設けられている。
【００３４】
次に、側部１７８ｂの周囲の構成について説明する。
【００３５】
側部１７８ｂの、側部１７８ｃが配置側される辺と隣り合う辺には罫線３２、４５が設けられて側部１７８ｂは区切られている。罫線３２の側部１７８ｂの配置側と相対する側には、第３の折り曲げ片Ｇが備えられる。第３の折り曲げ片Ｇには罫線３０と罫線３１が設けられ、罫線３０及び罫線３１を略直角に折り曲げることにより、コ字状に形成され、該第３の折り曲げ片Ｇの側部１７８ｂの配置側とは相対する側の端辺は、コ字状に折り曲げたときに側部１７８ｂに当接されるものである。
【００３６】
また、罫線４５の側部１７８ｂの配置側と相対する側には第４の折り曲げ片Ｌが備えられる。第４の折り曲げ片Ｌには、罫線４６が設けられ、罫線４６を略直角に折り曲げたときは、第４の折り曲げ片ＬはＬ字状になる。
【００３７】
そして、側部１７８ｃの周囲の構成について説明する。
【００３８】
側部１７８ｃの、側部１７８ｄが配置側される辺と隣り合う辺には罫線４１、５１が設けられて側部１７８ｃは区切られている。罫線４１の側部１７８ｃの配置側と相対する側には、第５の折り曲げ片Ｊが備えられる。第５の折り曲げ片Ｊには罫線４３と罫線４４が設けられている。第５の折り曲げ片Ｊは、罫線４３及び罫線４４を略直角に折り曲げることにより、コ字状に形成され、該第５の折り曲げ片Ｊの側部１７８ｃの配置側とは相対する側の端辺は、コ字状に折り曲げたときに側部１７８ｃに当接されるものである。
【００３９】
また、罫線５１の側部１７８ｃの配置側と相対する側には第６の折り曲げ片Ｏが備えられる。第６の折り曲げ片Ｏには、罫線５２が設けられ、罫線５２を略直角に折り曲げたときは、第６の折り曲げ片ＯはＬ字状になる。さらに、第６の折り曲げ片Ｏの側部１７８ｃの配置側と相対する側の端部には、内側厚紙と外側厚紙を組み合わせたときに内側厚紙の係止孔に挿入される係止部５４が設けられている。
【００４０】
更に、側部１７８ｄの周囲の構成について説明する。
【００４１】
側部１７８ｄの、側部１７８ｄが配置側される辺と隣り合う辺には罫線３５、４７が設けられて側部１７８ｄは区切られている。罫線３５の側部１７８ｄの配置側と相対する側には、第７の折り曲げ片Ｈが備えられる。第７の折り曲げ片Ｈには罫線３３と罫線３４が設けられ、罫線３３及び罫線３４を略直角に折り曲げることにより、コ字状に形成され、該第７の折り曲げ片Ｈの側部１７８ｄの配置側とは相対する側の端辺は、コ字状に折り曲げたときに側部１７８ｄに当接されるものである。
【００４２】
また、罫線４７の側部１７８ｄの配置側と相対する側には第８の折り曲げ片Ｍが備えられる。第８の折り曲げ片Ｍには、罫線４８が設けられ、罫線４８を略直角に折り曲げたときは、第８の折り曲げ片ＭはＬ字状になる。
【００４３】
そして、第１の折り曲げ片Ｉの罫線３６と罫線３９とに挟まれる面の、罫線３９側の両端は、略円弧状に切り欠いた形状をしている。かかる形状は、外側厚紙を組み立てたときに、隣り合う折り曲げ片となる第３の折り曲げ片Ｇ及び第７の折り曲げ片Ｈの構成部材と干渉しないようにするためである。
【００４４】
さらに、第５の折り曲げ片Ｊの罫線４１と罫線４３とに挟まれる面の、罫線４３側の両端は、略円弧状に切り欠いた形状をしている。かかる形状は、外側厚紙を組み立てたときに、隣り合う折り曲げ片となる第３の折り曲げ片Ｇ及び第７の折り曲げ片Ｈの構成部材と干渉しないようにするためである。
【００４５】
また、第１の折り曲げ片Ｉの罫線４０の側部１７８ａの配置される側とは相対する側の面は、罫線３９と罫線４０とによって挟まれている面よりも両端が張り出した形状をしており、その張り出し部は罫線３７、３８により折り曲げ可能に形成されている。
【００４６】
そして、第５の折り曲げ片Ｊの罫線４４の側部１７８ｃの配置される側とは相対する側の面は、罫線４２ａと罫線４２ｂとによって挟まれている面よりも両端が張り出した形状をしており、その張り出し部は罫線３７、３８により折り曲げ可能に形成されている。
【００４７】
上記のような、形状に打ち抜かれた外側厚紙１１を折り込み形成する工程について説明する。
【００４８】
糊しろ２６に接着剤を塗布した後、罫線２７、２８、２９を略直角に山折りして側部１７８ａ，１７８ｂ，１７８ｃ，１７８ｄの各部を周面とする筒状にし、側部１７８ａの側部１７８ｂが配置される側と相対する側の端部に前記糊しろ２６を接着させる。それによって、側部１７８ａ，１７８ｂ，１７８ｃ，１７８ｄは筒状に固定される。
【００４９】
そして、第３の折り曲げ片Ｇの罫線３０，３１、３２及び第７の折り曲げ片Ｈの罫線３３，３４，３５を略直角状に山折しコ字状にする。そして、罫線３６を山折して第１の折り曲げ片Ｉを略直角に折り曲げ、更に、罫線３７、３８を谷折して、第３の折り曲げ片Ｇと第７の折り曲げ片Ｈとの間を通りやすい形状にする。そして、第１の折り曲げ片Ｉの罫線３９、４０を山折したときに、前記通りやすい形状にした部分を、第３の折り曲げ片Ｇと第７の折り曲げ片Ｈとの間に通し他後、第３の折り曲げ片Ｇと第７の折り曲げ片Ｈとの間に差し込んで段部１９０を形成する。
【００５０】
第５の折り曲げ片Ｊは、第１の折り曲げ片Ｉと同じように折り曲げ加工する。
【００５１】
外側厚紙が以上のように加工された状態で、既に折り曲げて形成された内側厚紙１０の底部を外側厚紙１１の筒状の被包装物側の開口に挿入し前記段部１９０に当接させる。次に、第４の折り曲げ片Ｌと第８の折り曲げ片Ｍとを内側厚紙の開口部に向けて折り曲げ、さらに、第２の折り曲げ片Ｎと第６の折り曲げ片Ｏとを内側厚紙の開口部に向けて折り曲げて、前記係止部５２、５３を前記係止孔５５、５６に挿入させて固定する。
【００５２】
以上のようにして本発明の第１の実施の形態に係る第１の緩衝材は構成される。また、第２の緩衝材の構成は第１の緩衝材の構成と同様であるので説明は省略する。
【００５３】
次に、第２の実施の形態にかかる包装用緩衝材について図６から図１０とともに説明する。
【００５４】
第２の実施の形態にかかる第１の緩衝材について説明する。図７（ａ）は、第１の緩衝材を、被包装材である室内機１を配置する側とは相対する側（以下、底側と称する）から見たときの斜視図である。また図７（ｂ）は、第１の緩衝材を、被包装材である室内機１を配置する側から見たときの斜視図である。
【００５５】
第１の緩衝材は、図８に示すように、開口部を有する箱状に形成した内側厚紙７０と、筒状に形成した外側厚紙７１とを組み合わせて形成されている。
【００５６】
この内側厚紙７０及び外側厚紙７１は、段ボール等の折り曲げ可能な厚紙をトムソン抜きなどの打ち抜き手段によって所定の形状に打ち抜いた後、折り曲げ加工を施すことによって形成する。ここで、トムソン抜きとは段ボール等の厚紙を打ち抜く手段としては公知であるため説明は省略する。
【００５７】
内側厚紙７０の打ち抜き形状について説明する。図９は内側厚紙７０の展開図である。図９において、破線は折り曲げを容易にする加工を施した罫線であり、実線は切断線を示している。
【００５８】
内側厚紙７０の打ち抜き形状は、外周を略長方形状とし、外周の四辺の三辺を外周から略同一の距離だけ離間した位置に罫線７６、７７、７８を設ける。該罫線７６、７７、７８のうち、罫線７６と罫線７７は対向しており、罫線７８は罫線７６及び罫線７７の双方に略直角に形成されている。
【００５９】
また、罫線７６及び罫線７７の一端は、外周部まで延設され、他端は罫線７８の延長線と交差すべき位置よりも厚紙の厚みの分だけ一端側の位置まで設けられている。
【００６０】
そして、罫線７６の他端から、罫線７６を延長する方向には、厚紙の厚みより多少大きい幅を有する切り込み部２００が設けられており、同様に、罫線７７の他端から、罫線７７を延長する方向には、厚紙の厚みより多少大きい幅を有する切り込み部２０１が設けられている。
【００６１】
さらに、罫線７６の罫線７７側には罫線７６と平行に係止孔１１７が設けられ、更には、罫線７７の罫線７６側には罫線７７と平行に係止孔１１６が設けられている。罫線７８は罫線７６及び罫線７７の双方に略直角に形成されている。
【００６２】
また、罫線７６の端部からは罫線７８と平行であってかつ罫線７７の配置方向とは相対する方向に罫線７２が設けられている。これにより、罫線７２の第９の折り曲げ片Ａの配置側と相対する側の第１３の折り曲げ片Ｖを折り曲げることが可能となる。
【００６３】
同様に罫線７７の端部からは罫線７８と平行であってかつ罫線７６の配置方向とは相対する方向に罫線７４が設けられている。これにより、罫線７４の第１０の折り曲げ片Ｂの配置側と相対する側の第１４の折り曲げ片Ｗを折り曲げることが可能となる。
【００６４】
そして、罫線７６と罫線７２と外周部によって囲繞される第９の折り曲げ片Ａの罫線７２の配置される端部とは相対する端部から、罫線７６の罫線７７の配置される側と相対する側に所定の距離だけ切り込み部２０３が設けられる。該切り込み部２０３は特に厚みを必要しないが、後述する外側厚紙の所定位置の長さと略同一でなければならない。
【００６５】
さらに、該切り込み部２０３の罫線７２側の端部から罫線７８と平行に罫線７３を形成する。これにより第１１の折り曲げ片Ｘを罫線７２側に折り曲げることが可能である。
【００６６】
また、罫線７７と罫線７４と外周部によって囲繞される第１０の折り曲げ片Ｂの罫線７４の配置される端部とは相対する端部から、罫線７７の罫線７６の配置される側と相対する側に所定の距離だけ切り込み部２０４が設けられる。該切り込み部２０４も特に厚みを必要しないが、後述する外側厚紙の所定位置の長さと略同一である必要がある。
【００６７】
そして、該切り込み部２０３の罫線７４側の端部から罫線７８と平行に罫線７５を形成する。これにより第１２の折り曲げ片Ｙを罫線７２側に折り曲げることが可能である。
【００６８】
以上のような形状に、第２の実施の形態に係る内側厚紙７０は形成される。
【００６９】
そして、内側厚紙７０は、罫線７３，７２を略直角に谷折することによって、第１１の折り曲げ片Ｘと第１３の折り曲げ片Ｖを折り曲げてコの字状にし、更に、罫線７４，７５を略直角に谷折し、第１２の折り曲げ片Ｙと第１４の折り曲げ片Ｗを折り曲げて側部をコの字状に形成する。
【００７０】
次に、罫線７６、７７を略直角に谷折し、更に、罫線７８を略直角に谷折して内側に曲げると、内側厚紙７０が組み立てられる。
【００７１】
次に、外側厚紙７１の打ち抜き形状について説明する。図１０は外側厚紙７１の展開図である。図１０において、破線は折り曲げを容易にする加工を施した罫線であり、実線は切断線を示している。
【００７２】
外側厚紙７１の打ち抜き形状は、前記した内側厚紙の側部となる第９の折り曲げ片Ａよりも各辺が長い長方形状の外側厚紙の側部Ｄ１と、前記外側厚紙の側部Ｄ１と罫線８０を介して連接され外側厚紙の側部の一面を形成する長方形状のＤ２と、前記Ｄ２と罫線８１を介して連接され第１０の折り曲げ片Ｂよりも各辺が長い長方形状の外側厚紙の側部Ｄ３と、前記外側厚紙の側部Ｄ３と罫線８２を介して連接され外側厚紙の側部の一面を形成する長方形状の外側厚紙の側部Ｄ４とを有する。ここで、外側厚紙の側部Ｄ１と外側厚紙の側部Ｄ３の形状は略同一であり、外側厚紙の側部Ｄ２と外側厚紙の側部Ｄ４の形状は略同一である。
【００７３】
前記外側厚紙の側部Ｄ１の罫線８０と隣り合う辺には罫線８９、１０９が設けられる。さらに、罫線８９の外側厚紙の側部が配置される側とは相対する側には第１５の折り曲げ片Ｐが設けられている。
【００７４】
第１５の折り曲げ片Ｐには、罫線８９と平行に、罫線８９に近い方から順に罫線９４、９３、９２を設け、３箇所で折り曲げ可能としている。罫線８９と罫線９４との間の面は、その罫線９４が配置される側の辺の両端が略円弧状に形成されている。また、罫線９４と罫線９３との間の面の罫線９３と隣合う両端は罫線８０と平行である。
【００７５】
そして、第１５の折り曲げ片Ｐの外側厚紙の側部Ｄ１の配置側の端部と相対する側の端部と罫線９３との間の面の、罫線９３と隣り合う両端には、前記罫線９４と罫線９３との間の面より張り出した形状の張り出し部が設けられており、該張り出し部を折り曲げるために、前記前記罫線９４と罫線９３との間の面の罫線９３と隣り合う一端よりも、所定の長さだけ他端側に罫線９１及び罫線９４を設けている。
【００７６】
また、罫線１０９の外側厚紙の側部Ｄ１の配置側と相対する側には、第１６の折り曲げ片Ｑが配置される。第１６の折り曲げ片Ｑは、罫線１０９と平行に罫線１１０が設けられ、罫線１１０を略直角に折り曲げたときはＬ字状に折り曲げられるものである。また、第１６の折り曲げ片Ｑは罫線１０９の配置される端部と相対する端部に係止部１１４が設けられている。第１６の折り曲げ片Ｑの、罫線１１０の外側厚紙の側部Ｄ１の配置側と相対する側の、罫線８０の配置側の端辺３００は、罫線８０に対して所定の距離を有して配置され、係る部分が折り曲げ形成したときに室内機１以外の附属品等６４が挿入される部分である収納部３０３を形成することになる。
【００７７】
次に、前記外側厚紙の側部Ｄ２の罫線８１と隣り合う辺には罫線８５、１０３が設けられる。さらに、罫線８５の外側厚紙の側部が配置される側とは相対する側には第１７の折り曲げ片Ｒが設けられている。第１７の折り曲げ片Ｒには、罫線８５と平行に罫線８４、８３が設けられており、前記罫線８４、８３を略直角に折り曲げることによってコ字状となる。
【００７８】
また、前記外側厚紙の側部Ｄ２の罫線１０３の外側厚紙の側部が配置される側とは相対する側には第１８の折り曲げ片Ｓが設けられている。
【００７９】
第１８の折り曲げ片Ｓには、罫線１０３とは平行に罫線１０３に近い方から順に罫線１０４、１０７、１０８が設けられ、前記端辺３００等に沿うように折り曲げられることになる。
【００８０】
そして、前記外側厚紙の側部Ｄ３の罫線８２と隣り合う辺には罫線９５、１１１が設けられる。さらに、罫線９５の外側厚紙の側部が配置される側とは相対する側には第１９の折り曲げ片Ｔが設けられている。
【００８１】
第１９の折り曲げ片Ｔには、罫線９５と平行に、罫線９５に近い方から順に罫線１００、９９、９８を設け、３箇所で折り曲げ可能としている。罫線９５と罫線１００との間の面は、その罫線１００が配置される側の辺の両端が略円弧状に形成されている。また、罫線１００と罫線９９との間の面の罫線９９と隣合う両端は罫線８２と平行である。
【００８２】
そして、第１９の折り曲げ片Ｔの外側厚紙の側部Ｄ３の配置側の端部と相対する側の端部と罫線９８との間の面の、罫線９８と隣り合う両端には、前記罫線９８と罫線９９との間の面より張り出した形状の張り出し部が設けられており、該張り出し部を折り曲げるために、前記前記罫線９９と罫線９８との間の面の罫線９８と隣り合う一端よりも、所定の長さだけ他端側に罫線９７及び罫線９６を設けている。
【００８３】
また、罫線１１１の外側厚紙の側部Ｄ３の配置側と相対する側には、第２０の折り曲げ片Ｕが配置される。第２０の折り曲げ片Ｕは、罫線１１１と平行に罫線１１２が設けられ、罫線１１１を略直角に折り曲げたときはＬ字状に折り曲げられるものである。また、第２０の折り曲げ片Ｕは罫線１１１の配置される端部と相対する端部に係止部１１５が設けられている。第２０の折り曲げ片Ｕの、罫線１１１の外側厚紙の側部Ｄ３の配置側と相対する側の、罫線８１の配置側の端辺３０１は、罫線８１に対して所定の距離を有して配置され、係る部分が折り曲げ形成したときに室内機１以外の付属品等を収納するための収納材が挿入される部分を形成することになる。該端辺３０１と罫線８１との距離は前記端辺３００と罫線８０との距離と略同一に形成されるものである。
【００８４】
そして、前記外側厚紙の側部Ｄ４の罫線８２と隣り合う辺には罫線８８、１０１が設けられる。さらに、罫線８２の外側厚紙の側部が配置される側とは相対する側には第２１の折り曲げ片αが設けられている。第２１の折り曲げ片αには、罫線８８と平行に罫線８７、８６が設けられており、前記罫線８７、８６を略直角に折り曲げることによってコ字状となる。
【００８５】
また、前記外側厚紙の側部Ｄ２の罫線１０１の外側厚紙の側部が配置される側とは相対する側には第２２の折り曲げ片βが設けられている。
【００８６】
第２２の折り曲げ片βには、罫線１０１とは平行に罫線１０２が設けらている。そして、外側厚紙の側部Ｄ４の罫線８２の配置される端部とは相対する端部には糊しろ７９が設けられる。
【００８７】
以上のような形状に打ち抜かれた外側厚紙７１の折り込み形成する工程について説明する。
【００８８】
糊しろ７９に接着材を塗布した後、罫線８０、８１、８２を略直角に山折して、外側厚紙の側部Ｄ１、Ｄ２、Ｄ３、Ｄ４の各部を周面とする筒状にし、外側厚紙の側部Ｄ１の罫線８０の配置される面とは相対する端面に糊しろ７９を貼り合せて接合する。それによって、外側厚紙の側部は筒状に固定される。
【００８９】
そして、第１７の折り曲げ片Ｒの罫線８３，８４、８５と、第２１の折り曲げ片αの罫線８６、８７、８８を略直角に山折してコ字状にする。更に、第１５の折り曲げ片Ｐの罫線８９を略直角に山折りして第１５の折り曲げ片Ｐを折り曲げ更に、罫線９０、９１を略直角に谷折して、第１７の折り曲げ片Ｒと第２１の折り曲げ片αとの間を通りやすくする。そして、第１５の折り曲げ片Ｐの罫線９３と罫線９４を山折りした時に、谷折りして通りやすくした個所を第１７の折り曲げ片Ｒと第２１の折り曲げ片αとの間を通し、更に、前記谷折りして通りやすくした個所を、第１７の折り曲げ片Ｒと第２１の折り曲げ片αとの間に差し込んで段部２９０を形成する。
【００９０】
そして、第１９の折り曲げ片Ｔも、第１５の折り曲げ片Ｐと同じように折り曲げ加工する。以上のように加工された状態で、既に折り曲げて形成された内側厚紙７０の底部を、外側厚紙１１の被包装物側の筒状の開口に挿入して前記段部２９０に当接させる。
【００９１】
その後、第２２の折り曲げ片βの罫線１０１、１０２を略直角に折り曲げて、第２２の折り曲げ片βの罫線１０２の罫線１０１の配置側と相対する側の面を、内側厚紙７０の開口部に挿入し、内側厚紙７０の側部と平行になるようにする。
【００９２】
そして、第１６の折り曲げ片Ｑの罫線１０９、１１０を略直角に折り曲げて、第１６の折り曲げ片Ｑの罫線１１０の罫線１０９の配置側と相対する側の面を、内側厚紙７０の開口部に挿入し、内側厚紙７０の側部と平行になるようにした後、係止片１１４を係止孔１１７に挿入し固定する。
【００９３】
また、第２０の折り曲げ片Ｕの罫線１１１、１１２を略直角に折り曲げて、第２０の折り曲げ片Ｕの罫線１１２の罫線１０１の配置側と相対する側の面を、内側厚紙７０の開口部に挿入し、内側厚紙７０の側部と平行になるようにした後、係止片１１５を係止孔１１６に挿入し固定する。
【００９４】
さらに、第１８の折り曲げ片Ｓの罫線１０４、１０７、１０８折り曲げて、第１６の折り曲げ片Ｑと第２０の折り曲げ片Ｕとの形状に沿うようにし、罫線１０５、１０６を折り曲げ、それにより折り曲げれられた個所に糊付けし、内側厚紙７０の側部に張りつけて固定する。
【００９５】
上記のようにして第２の実施形態における第１の緩衝材は組立られる。なお、第２の緩衝材は構成及び組立工程ともに第１の緩衝材と同様であるため説明は省略する。
【００９６】
組み立てられた第１の緩衝材の開口部には、室内機１の一端が挿入され、だい２の緩衝材の開口部には、室内機１の他端が挿入される。そして、収納部３０３に板状の附属品等６４を挿入し、その後、外箱６０に挿入する。外箱６０には、第１の実施の形態で説明したものと同様のものを使用することが出来る。
【００９７】
上記のようにして組み立てられた第２の実施の形態の緩衝材６２、６３は、第１の実施の形態で示した緩衝材３、４とは、附属品等の室内機１以外の収納すべきものを一方向から挿入して収納可能な収納部３０３を有する点で異なっている。
【００９８】
図６（ａ）に示すように、完成された第１の緩衝材６２の開口部には、室内機１の一端が挿入され、前記第２の緩衝材６３の開口部には、室内機１の他端が挿入される。そして、収納部３０３には附属品等６４が収納される。このとき収納部３０３は附属品等６４を一方向から挿入するだけで収納することができるため容易に挿入することができ、別途に緩衝材を設けることなく室内機１と附属品等６４とを一対の緩衝材で衝撃を和らげつつ一度に包装することが可能である。
【００９９】
またさらに、外箱６０の開口部と収納部３０３の設置方向を同一とした場合は、収納部３０３に室内機１を挿入した後に、附属品等６４を収納部に収納することが出来る。このように構成した場合は、第１の実施の形態のように室内機１に附属品等６４がテープなどの固定手段によって固定されている場合と比べて、安定して附属品等６４を包装可能であるのみならず、外箱６０を明けたときに、まず附属品６４を取り出し、その後に室内機１を取り出すことができるため、附属品等６４を容易に取り出すことが可能である。
【０１０１】
【発明の効果】
本発明は、被包装物を挿入するための開口部と相対する位置に配置される底部を、前記開口部の周囲を形成する側部の前記開口部側と相対する側の端部よりも開口部側に設ける構成であるから、側部に荷重がかかったときに、該底部にかかるモーメントが小さくなることから、特に他の補強を備えることなく強度を強くすることができる。
【０１０２】
更に、本発明は、開口部を有する箱状に形成した１枚の厚紙からなる内側厚紙と、筒状に形成した１枚の厚紙からなる外側厚紙とからなり、前記内側厚紙を前記外側厚紙に挿入して形成する構成であるから、簡単な形状に内側厚紙及び外側厚紙を切りぬけばよいため、従来例に示した構成のように複雑な形状の切り抜きを必要とせず、加工性を良好にすることができる。
【０１０３】
また更に、本発明は、被包装物を挿入するための開口部を有する箱状に形成された１枚の厚紙からなる内側厚紙と、前記内側厚紙の底部に設けられた係止孔と、前記内側厚紙を挿入可能な筒状に形成された１枚の厚紙からなる外側厚紙と、前記外側厚紙の内周に設けられ前記外側厚紙に前記内側厚紙を挿入したときに前記底部が当接する当接部と、前記外側厚紙の被包装物側の端部に設けられた係止部と、を備え、前記内側厚紙を前記外側厚紙に挿入し、前記当接部に前記底部を当接させて前記内側厚紙の挿入位置を位置決めし、前記係止部を前記係止孔に挿入することによって前記内側厚紙を固定する構成であるから、容易な構成で、被包装物を挿入するための開口部と相対する位置に配置される底部を、前記開口部の周囲を形成する側部の前記開口部側と相対する側の端部よりも開口部側に設けることができるとともに、側部に荷重がかかったときに、該底部にかかるモーメントが小さくなることから、特に他の補強を備えることなく強度を強くすることができる。
【図面の簡単な説明】
【図１】本発明の第１の実施の形態に係る緩衝材を使用して室内機を包装するときの概略斜視図である。
【図２】本発明の第１の実施の形態の緩衝材の概略斜視図である。
【図３】本発明の第１の実施の形態の緩衝材の加工組立時の概略斜視図である。
【図４】本発明の第１の実施の形態の緩衝材の内側厚紙の展開図である。
【図５】本発明の第１の実施の形態の緩衝材の外側厚紙の展開図である。
【図６】本発明の第２の実施の形態に係る緩衝材を使用して室内機を包装するときの概略斜視図である。
【図７】本発明の第２の実施の形態の緩衝材の概略斜視図である。
【図８】本発明の第２の実施の形態の緩衝材の加工組立時の概略斜視図である。
【図９】本発明の第２の実施の形態の緩衝材の内側厚紙の展開図である。
【図１０】本発明の第２の実施の形態の緩衝材の外側厚紙の展開図である。
【図１１】従来の包装用緩衝材を使用して室内機を包装するときの概略斜視図である。
【図１２】従来の包装用緩衝材を示す概略斜視図である。
【図１３】従来の包装用緩衝材を示す展開図である。
【図１４】従来の包装用緩衝材を示す展開図である。
【符号の説明】
１  室内機  （被梱包体）
２  外箱
３  第１の緩衝材
４  第２の緩衝材
５  ポリ袋
６  附属品等
１７７ａ、１７７ｂ、１７７ｃ、１７７ｄ  内側厚紙の側部
１７８ａ、１７８ｂ、１７８ｃ、１７８ｄ  外側厚紙の側部
【図１】
0003871513.tif 000002
【図２】
0003871513.tif 000003
【図３】
0003871513.tif 000004
【図４】
0003871513.tif 000005
【図５】
0003871513.tif 000006
【図６】
0003871513.tif 000007
【図７】
0003871513.tif 000008
【図８】
0003871513.tif 000009
【図９】
0003871513.tif 000010
【図１０】
0003871513.tif 000011
【図１１】
0003871513.tif 000012
【図１２】
0003871513.tif 000013
【図１３】
0003871513.tif 000014
【図１４】
0003871513.tif 000015